(57)【特許請求の範囲】
【請求項１】
物品を収納する固定棚と、
該固定棚の奥行き方向の前方側の床面上に設置されたベース部と、
該ベース部の上面に設けられ前記固定棚の幅方向に延在するとともに、前記奥行き方向に間隔を有して設けられた一対のガイドレールと、
該一対のガイドレール上に設けられ、前記幅方向に移動可能とされた物品を収納する移動棚と、
前記一対のガイドレール間における該ベース部の上面から出没自在に設けられ、
前記ベース部の上面から突出したときに前記移動棚側面に当接することによって、前記移動棚の移動を規制し、該上面から没したときに前記移動棚の移動を許容する移動規制手段とを備え、
前記移動規制手段は、
前記ベース部の下方に設けられ水平方向を軸方向とする回動軸と、
基端部が該回動軸を中心として回動自在に支持されるとともに、先端部が前記ベース部の上面から出没自在とされたペダル部と、
該ペダル部の先端部を上方に向けて付勢する付勢部と、
前記ペダル部を下方に押圧した場合に該下方位置にロックし、さらに押圧した場合に該ペダル部を上方に突出させることを許すラッチ機構とを有することを特徴とする移動棚装置。
【発明の詳細な説明】
【技術分野】
【０００１】
本発明は、移動棚装置に関するものである。
【背景技術】
【０００２】
従来より、オフィス等の執務空間においては、物品を収納する物品収納什器の占有面積及び使用者が該什器から物品を出し入れ作業をする際の什器前方における作業空間面積を小さくして、執務空間を有効活用することが望まれている。
【０００３】
そこで、執務空間における壁面に面して、物品収納什器を左右に複数隣接して設置して固定棚を構成し、該固定棚の前方に固定棚の物品収納什器よりも少ない数量の物品収納什器を左右方向に移動可能として複数隣接して設置することによって移動棚を構成した移動棚装置が採用されている。
【０００４】
このような移動棚装置によれば、固定棚の前方の空間を、該固定棚から物品を出し入れする作業空間とするとともに、移動棚を設置する移動棚設置空間としても利用することができるため、執務空間の有効活用が可能となる。
【０００５】
ここで、上記の移動棚装置では、地震時の振動等により移動棚が転倒する虞があるため、該移動棚を移動を一時的に規制する技術が提案されている。
【０００６】
例えば、床面上載置されたベース部に設けられた１本のレールに沿って移動棚が移動可能とされた移動棚装置であって、固定棚の前面側かつ該レールよりも後方におけるベース部から出没自在のストッパーが設けられた構成のものがある。このような構成によれば、該ストッパーを床面から突出させて該ストッパーを移動棚の側面後方の下部に当接させるロック機構により、移動棚の移動を規制することができる（下記特許文献１参照）。
【０００７】
また、床面上載置されたベース部に設けられた１本のレールに沿って移動棚が移動可能とされた移動棚装置であって、移動棚の前縁部におけるベース部から出没自在のストッパーが設けられた構成のものもある。このような構成によれば、該ストッパーを移動棚の側面前方の下部に当接させるロック機構により、移動棚の移動を規制することができる（下記特許文献２参照）。
【先行技術文献】
【特許文献】
【０００８】
【特許文献１】特開２０１０−２７９６４５号公報
【特許文献２】特許第３３０７２４６号公報
【発明の概要】
【発明が解決しようとする課題】
【０００９】
しかしながら、上記特許文献１及び２に記載の移動棚装置では、移動棚を案内するガイドが１本であるため、地震等の大規模な振動が生じた場合に、移動棚の前後方向の揺れを抑制するように安定的に移動棚を保持するのが困難である。したがって、ストッパーで移動棚の移動を規制した場合でも、ロック機構が外れてしまい移動棚が移動可能状態となり隣接する移動棚と衝突して損傷し、さらには転倒して損壊する虞があるという問題点があった。
【００１０】
本発明は、上記事情に鑑みてなされたものであり、簡易な施工及び簡易な操作によって移動棚の移動を規制し、安全に使用することができる移動棚装置を提供するものである。
【課題を解決するための手段】
【００１１】
上記目的を達成するために、本発明は以下の手段を採用している。
すなわち、本発明に係る移動棚装置は、物品を収納する固定棚と、該固定棚の奥行き方向の前方側の床面上に設置されたベース部と、該ベース部の上面に設けられ前記固定棚の幅方向に延在するとともに、前記奥行き方向に間隔を有して設けられた一対のガイドレールと、該一対のガイドレール上に設けられ、前記幅方向に移動可能とされた物品を収納する移動棚と、前記一対のガイドレール間における該ベース部の上面から出没自在に設けられ、前記ベース部の上面から突出したときに前記移動棚側面に当接することによって、前記移動棚の移動を規制し、該上面から没したときに前記移動棚の移動を許容する移動規制手段とを備え、前記移動規制手段は、前記ベース部の下方に設けられ水平方向を軸方向とする回動軸と、基端部が該回動軸を中心として回動自在に支持されるとともに、先端部が前記ベース部の上面から出没自在とされたペダル部と、該ペダル部の先端部を上方に向けて付勢する付勢部と、前記ペダル部を下方に押圧した場合に該下方位置にロックし、さらに押圧した場合に該ペダル部を上方に突出させることを許すラッチ機構とを有することを特徴とする。
【００１２】
この構成では、移動規制手段をベース部から突出させることにより該移動規制手段を移動棚側面と係止させることができるため、移動棚の幅方向の移動を規制することができる。
また、移動棚を案内するガイドレールが奥行き方向に間隔を有して一対設けられているため、該ガイドレールが移動棚を安定的に支持することができ、安全に使用することができる。
さらに、移動規制手段を一対のガイドレール間に設けるだけでよいため、簡易な施工で実現可能である。
また、移動棚の移動を規制するには移動規制手段をベース部から突出させればよいだけであるため、簡易な操作により移動棚の移動を規制することがきる。
また、ペダル部を押圧することで、ラッチ機構により該ペダル部の突出が許され、回動軸を中心として回動して付勢部によりペダル部が上方に向かって付勢される。よって、ペダルを移動棚と確実に係止させることができるため、移動棚の幅方向の移動を確実に規制することができる。
また、移動棚の移動を規制するにはペダルを押圧すればよいだけであるため、簡易な操作により移動棚の移動を規制することができる。
【発明の効果】
【００１５】
本発明に係る移動棚装置によれば、簡易な施工及び簡易な操作によって移動棚の移動を規制し、安全に使用することができる。
【図面の簡単な説明】
【００１６】
【図１】本発明の一実施形態に係る移動棚装置の斜視図である。
【図２】本発明の一実施形態に係る移動棚装置のベース部の縦断面図である。
【図３】本発明の一実施形態に係る移動棚装置の（ａ）移動規制手段がベース部の上面から突出した状態、（ｂ）移動規制手段がベース部の上面から没した状態の縦断面図である。
【図４】本発明の一実施形態に係る移動棚装置の移動規制手段の分解斜視図である。
【発明を実施するための形態】
【００１７】
以下、本発明の第一実施形態に係る移動規棚装置について、図面を参照して説明する。
図１に示すように、移動棚装置１は、床面Ｆ上に設置された基台１１と、該基台１１の上に載置された固定棚２１及び移動棚３１と、基台１１のうち移動棚３１が載置される側に設けられたガイドレール１９とを備えている。
【００１８】
基台１１は、前後方向（奥行き方向）後方に設けられた固定棚設置部１２と、その前方に設けられた移動棚設置部（ベース部）１３とを備える。この基台１１は、鋼板を加工して形成されている。
固定棚設置部１２は、左右方向（幅方向）にわたって延在し、その上方には固定棚２１が設置されている。
移動棚設置部１３は、その高さが固定棚設置部１２よりも小とされて左右方向にわたって延在し、その上面には一対のガイドレール１９が敷設され、その上方には移動棚３１が設置されている。また、移動棚設置部１３の上板１５には、後述する移動規制手段の出没を可能とする開口部１６が設けられている。
なお、固定棚設置部１２及び移動棚設置部１３の幅寸法（左右方向の寸法）は、略同一で形成されている。
【００１９】
一対のガイドレール１９は、移動棚設置部１３の上面において左右方向に延在するように、前後方向に間隔を有して設けられている。
【００２０】
固定棚２１は、物品を収納可能として固定棚設置部１２に設置され、本実施形態では４個（不図示）の固定棚２１が左右方向に隣接して構成されている。
固定棚２１は、箱状に形成された固定棚本体２２と、該固定棚本体２２の前面側に左右方向にわたって設けられ、固定棚２１の開口を開閉するスライド扉２３とを備えている。
【００２１】
移動棚３１は、物品を収納可能として移動棚設置部１３のガイドレール１９上に設置されるとともに、本実施形態では３個の移動棚３１が左右方向に隣接して構成されている。また、移動棚３１は、ガイドレール１９に案内されて移動棚設置部１３上を左右方向に移動可能とされ、その移動範囲は移動棚設置部１３の両端に設けられたストッパ（不図示）により移動棚設置部１３の左右方向の範囲内とされている。
移動棚３１は、ガイドレール１９上に載置された下部移動棚３２と、該下部移動棚３２の上方に載置された上部移動棚３３とを備えている。
下部移動棚３２は、箱状に形成された下部移動棚本体３４と、該下部移動棚本体３４の内部に対して前後方向に移動させて引き出し及び格納自在とされ、上下方向に配設された３個の抽斗３５とを備えている。また、下部移動棚本体３４の下部には前後方向に２個１組の車輪４０（図２参照）が、ガイドレール１９に対して転動自在に設けられている。
図１に示すように、上部移動棚３３は、箱状に形成された上部移動棚本体３６と、該上部移動棚本体３６の前面側に該上部移動棚３３の開口を開閉するように設けられた観音開き可能に構成された観音扉３７とを備えている。
なお、上部移動棚３３は、下部移動棚３２に対して、前後方向及び左右方向を揃えて載置されている。
【００２２】
また、移動棚３１は、後方に設けられた固定棚２１に対して、幅寸法（左右方向の寸法）及び高さ寸法が同一で構成されている。したがって、図１に示すように、３個の移動棚３１を移動棚設置部１３の左端に移動させた場合、移動棚３１の右側かつ固定棚２１の前方に空間が形成され、該空間を利用して固定棚２１の内部に収容された物品の出し入れが可能とされている。
【００２３】
移動棚設置部１３における一対のガイドレール１９の間には、移動棚３１を定位置にロックし、またその解除によって移動棚３１の移動を許容する移動規制装置（移動規制手段）５１が設けられている。
図３に示すように、移動規制装置５１は、上方が開放され移動棚設置部１３に固定された箱状のケーシング６１と、該ケーシング６１と上方から嵌合するペダル部９１と、ケーシング６１及びペダル部９１に挿通された回動軸１０１及びピン１１１と、回動軸１０１に巻回されたコイルバネ（付勢部）１２１と、該ケーシング６１の内部に配設されたラッチ機構１３１とを備えて構成されている。
【００２４】
図４に示すように、ケーシング６１は、底板６２と、該底板６２から立設するとともに対向する側板６３，６４と、外側板６５と、該外側版と対向する内側板６６と、これら側板６３，６４、外側板６５及び内側板６６から直交する方向に延在する固定板７１，７２，７３，７４とを備えている。
側板６３，６４には、回動軸１０１が挿通される略円形の第一回動軸用孔部８１と、ピン１１１が挿通される上下方向に長穴の第一ピン用孔部８２が形成されている。
内側板６６は、底板６２側に位置する下側板６７と、該下側板６７から略直交する方向に延在する段部６８と、該段部６８の端部から立設する上側板６９とを備えている。
図３に示すように、固定板７１，７２，７３，７４は、移動棚設置部１３に例えば溶接等により固定されている。
【００２５】
図４に示すように、ペダル部９１は、ペダル上板９２と、該ペダル上板９２から垂下するとともに移動棚３１の下部と係止する係止板９３と、対向するペダル側板９４，９５とを備えている。
ペダル側板９４，９５には、回動軸１０１が挿通される略円形の第二回動軸用孔部９６と、ピン１１１が挿通される略円形の第二ピン用孔部９７が形成されている。
ここで、ペダル部９１の係止板９３及びペダル側板９４，９５が、ケーシング６１の側板６３，６４、外側板６５及び内側板６６の内部に配設されるように、ペダル部９１とケーシング６１は上下方向から嵌合されている。
【００２６】
回動軸１０１は、水平方向を軸方向として、第一回動軸用孔部８１及び第二回動軸用孔部９６に挿通されてケーシング６１に固定されている。また、回動軸１０１は、その両端をケーシング６１の側板６３，６４から突出させ、その端部にリテーナ１０２が嵌着されることにより該回動軸１０１の抜出が防止されている。
これにより、ペダル部９１は、基端部９８が該回動軸１０１を中心として回動自在に支持され、図３（ａ）に示す先端部側である係止板９３が移動棚設置部１３の開口部１６から突出する位置と、図３（ｂ）に示す係止板９３が移動棚設置部１３の内部に没する位置とに移動可能とされている。
【００２７】
図４に示すように、ピン１１１は、一端に頭部１１２が、他端に雄ネジ部１１３がそれぞれ形成され、水平方向を軸方向として長穴の第一ピン用孔部８２及び第二ピン用孔部９７に挿通されている。また、ピン１１１は、頭部１１２及び雄ネジ部１１３をそれぞれケーシング６１の側板６３，６４から突出させ、雄ネジ部１１３にはワッシャー１１５を介してダブルナット１１６が緊締されている。
これにより、ペダル部９１を回動軸１０１を中心として回動させた場合には、ペダル部９１の移動範囲は、第一ピン用孔部８２の長穴の上下方向寸法により規制されることとなる。
【００２８】
コイルバネ１２１は、回動軸１０１に巻回されるとともに、図３に示すようにその上側の一端１２２がペダル部９１のペダル上板９２の裏面側に、下側の他端１２３がケーシング６１の底板６２の表面側に、それぞれ当接している。また、コイルバネ１２１は、ペダル部９１の係止板９３を開口部１６から突出させるように常時ペダル部９１を上方に向けて付勢している。
【００２９】
図３に示すように、ラッチ機構１３１は、ケーシング６１に取り付けられたラッチ装置１３２と、ペダル部９１に固定された取付板１３３と、該取付板１３３に設けられた係合部材１３４とを備える。
ラッチ装置１３２は、そのケースが第一ネジ１３６によりケーシング６１の下側板６７に取り付けられており、先端に滑車１３７が設けられた作動子１３８を有している。
作動子１３８は、図３（ａ）に示す上方に起立させた状態から図３（ｂ）に示す倒伏させた状態にまで移動すると、ラッチ装置１３２の内部に設けられたロック機構（不図示。以下同じ。）によりロックされる。この状態から、さらに下方に向かって押圧するとロック機構が解除されて、再び図３（ａ）に示す状態まで移動する。
取付板１３３は、ペダル部９１のペダル上板９２の裏面側に、例えば溶接等により固定されている。
係合部材１３４は、側方に凹所１４０が形成された側面視鉤状の部材であり、第二ネジ１４１により取付板１３３に固定されている。
滑車１３７は、作動子１３８の先端に設けられるとともに、図３（ｂ）に示す状態で係合部材１３４の凹所１４０に係合可能とされている。
このようなラッチ機構１３１により、図３（ａ）に示す状態からペダルを下方に押圧すると下方に移動して図３（ｂ）に示す状態となり、この状態からさらに下方に押圧すると上方に移動して図３（ａ）に示す状態となる。
【００３０】
次に、このように構成された移動棚装置１の動作について説明する。
まず、図３（ａ）に示すペダル部９１の係止板９３が移動棚設置部１３の開口部１６から上方に突出した状態から、図３（ｂ）に示す係止板９３が移動棚設置部１３の内部に没する状態までの動作を説明する。
図３（ａ）に示す状態からペダル部９１のペダル上板９２を下方に押圧すると、ペダル部９１の先端部側である係止板９３は回動軸１０１を中心として回動されてペダル部９１は下方に下がり、図３（ｂ）に示すペダル部９１のペダル上板９２が移動棚設置部１３の上板１５と同じ高さになるまで移動する。このとき、ペダル上板９２が下方に移動するにともなって、ラッチ装置１３２の作動子１３８は図３（ａ）に示す上方に起立した状態から、図３（ｂ）に示す倒伏した状態にまで移動する。そして、作動子１３８に設けられた滑車１３７が係合部材１３４の凹所１４０と係合し、ラッチ装置１３２の内部のロック機構によりロックされることにより、該係合状態が維持される。
なお、この際、ピン１１１はケーシング６１の長穴の第一ピン用孔部８２の上方から下方に向かって移動し、下方の位置にて固定される。
【００３１】
次に、図３（ｂ）に示す状態から図３（ａ）に示す状態までの動作を説明する。
図３（ｂ）に示す状態から、ペダル部９１のペダル上板９２をさらに下方に押圧すると、ペダル部９１の係止板９３は回動軸１０１を中心として下方に移動する（不図示。以下同じ。）。すわなち、係止板９３は移動棚設置部１３の上板１５よりも下方に下がるとともに、ラッチ装置１３２の作動子１３８が図３（ｂ）に示す状態よりも下方に移動する。これによりラッチ装置１３２の内部のロック機構は解除され、ペダル上板９２がコイルバネ１２１の上側の一端１２２から上方に向かって付勢されるため、ペダル上板９２は回動軸１０１を中心として回動する。そして、図２（ａ）に示すペダル部９１の係止板９３が、移動棚３１の側面の下部と係止する位置まで移動する。このとき、凹所１４０と滑車１３７との係合状態は解除されるものの、ピン１１１の上部がケーシング６１の第一ピン用孔部８２の上端と当接するため、これ以上ペダル上板９２が突出することはなく当該状態を維持することができる。
【００３２】
このように構成された移動棚装置１では、ペダル部９１の係止板９３を移動棚設置部１３の開口部１６から突出させるとともに当該状態を維持することができるため、移動棚３１の左右方向の移動を規制することができる。
【００３３】
また、移動棚３１を左右方向に案内する一対のガイドレール１９が移動棚設置部１３の前後方向に間隔を有して設けられているとともに、移動棚３１の前後方向の車輪４０は該ガイドレール１９によって支持されている。よって、ガイドレール１９が移動棚３１を安定的に支持することができるため、使用者は移動棚３１及び固定棚２１の物品の格納及び引き出しを安全に行うことができる。
【００３４】
また、移動規制装置５１を移動棚設置部１３の一対のガイドレール１９間に設けるだけでよいため、簡易な施工で移動棚装置１の取付が可能となる。
【００３５】
また、使用者は、ペダル部９１のペダル上板９２を下方に押圧することにより、移動棚設置部１３の開口部１６からペダル部９１を突出させた状態にすることができるとともに、ペダル部９１を没した状態にすることができる。よって、簡易な操作で移動棚３１の左右方向の移動を規制することができるとともに、該移動棚３１の移動を許容することができる。
なお、上記ペダル上板９２を押圧する作業は、作業者が脚で踏むことにより可能であるため、作業者は腰を屈めて作業する必要がなく、作業が容易である。
【００３６】
また、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００３７】
１…移動棚装置
１３…移動棚設置部（ベース部）
１９…ガイドレール
２１…固定棚
３１…移動棚
５１…移動規制装置（移動規制手段）
９１…ペダル部
９３…係止板（先端部）
９８…基端部
１０１…回動軸
１２１…コイルバネ（付勢部）
１３１…ラッチ機構
Ｆ…床面
【図１】
0005923269.tif 000002
【図２】
0005923269.tif 000003
【図３】
0005923269.tif 000004
【図４】
0005923269.tif 000005